(57)【要約】      （修正有）【課題】オーディオプラグ及びそのマザーボードとの接続構造を提供する。【解決手段】オーディオ端子１０の後端部には軸方向に沿って少なくとも一つのラグ板が嵌設され、該オーディオ端子１０の後端部とラグ板は樹脂ボディ内に被覆され、該ラグ板は、該オーディオ端子１０の後端部に嵌設されるラグ板のリング体及びリング体の一方側に延在するフック形状のツメ４０を含む。オーディオプラグは、オーディオ端子１０を介してフック形状のツメ４０に嵌合され、更にプラスチック層を利用してオーディオプラグとオーディオ端子１０の接続部分を一体に被覆する。接続されるマザーボードにはツメ４０を挿入できる差込み口が設置され、ツメ４０はマザーボードに迅速にはんだ付けすることができ、こうしてオーディオプラグの堅牢性を保証でき、また一方でオーディオ構造は差込み口だけを介して嵌合するため、オーディオプラグの挿抜時の揺動により生じる力によるマザーボードの破損は起きにくくなる。【選択図】図４
0003211959.tif 000002
【実用新案登録請求の範囲】
【請求項１】
オーディオプラグであって、
オーディオ端子を含み、前記オーディオ端子の後端部には軸方向に沿って少なくとも一つのラグ板が嵌設され、前記オーディオ端子の後端部とラグ板は樹脂ボディ内に固定され、前記ラグ板は、前記オーディオ端子の後端部に嵌設されるラグ板のリング体及びリング体の一方側に延在するフック形状のツメを含む
ことを特徴とするオーディオプラグ。
【請求項２】
複数のラグ板を有し、隣接するラグ板の間には隙間がある
請求項１に記載のオーディオプラグ。
【請求項３】
前記オーディオ端子には複数の位置決め用軸肩が設けられ、前記複数の位置決め用軸肩は、オーディオ端子の後端部から先端部方向へ軸肩の高さが徐々に大きくなり、前記複数のラグ板のリング体は、オーディオ端子の後端部から先端部方向へ中央部貫通孔が徐々に大きくなり、位置決め用軸肩を介して嵌合し固定される
請求項２に記載のオーディオプラグ。
【請求項４】
前記複数のラグ板は平行に設置され、且つ角度が同じである
請求項３に記載のオーディオプラグ。
【請求項５】
前記樹脂ボディは、オーディオ端子の後端部とラグ板のリング体との接続部を被覆する柱形状ボディを含み、前記柱形状ボディの一方側におけるフック形状のツメが外向きに張り出し、柱形状ボディの他方側には取付け穴付きの平板部が延在し、前記オーディオ端子の末端は柱形状ボディの外に張り出す
請求項１ないし４のいずれかに記載のオーディオプラグ。
【請求項６】
オーディオプラグとマザーボードの接続構造であって、
請求項５に記載のオーディオプラグ及びオーディオプラグに接続されるマザーボードを含み、前記マザーボードにはフック形状のツメを挿入するのに用いられる差込み口が設けられ、前記オーディオプラグのフック形状のツメが差込み口内に挿入される
ことを特徴とするオーディオプラグとマザーボードとの接続構造。
【請求項７】
前記マザーボードには、オーディオ端子の末端に嵌合される溝が設置される
請求項６に記載のオーディオプラグとマザーボードの接続構造。
【考案の詳細な説明】
【技術分野】
【０００１】
本考案は、オーディオプラグ及びそのマザーボードとの接続構造に関する。
【背景技術】
【０００２】
従来の携帯電話決済対応のＰＯＳレジにおいて、オーディオプラグは、現在、主に以下の２つの方法でマザーボードに接続される。１つの方法は、ケーブルを介してマザーボードにはんだ付けされるものであり、このようなケーブルと軸形状のオーディオ端子ははんだ付けする際の工程作業が煩雑で、非効率的な上、品質のバラツキが多く、緩みや抜けが発生しやすい。もう１つの方法は、金属のフィレットを介して直接マザーボードにはんだ付けされるものである。この方法ははんだ付けが容易ではあるが、オーディオプラグの挿抜時の揺動により生じる力が直接マザーボードに伝達され、マザーボードのボンディングパッドが破損しやすい。
【考案の概要】
【考案が解決しようとする課題】
【０００３】
本考案が解決しようとする技術的課題は、従来のオーディオプラグとマザーボードの接合にコードを用いてはんだ付けされる方法は工程作業が煩雑で非効率的であり、金属のフィレットを介して直接マザーボードにはんだ付けされる方法はオーディオプラグの揺動によりマザーボードのボンディングパッドが破損しやすいという上記の問題を改善しようとするものである。
【課題を解決するための手段】
【０００４】
本考案の第１実施例を説明する。オーディオプラグであって、オーディオ端子を含み、該オーディオ端子の後端部には軸方向に沿って少なくとも一つのラグ板が嵌設され、該オーディオ端子の後端部はラグ板と樹脂ボディ内に固定され、該ラグ板は、オーディオ端子の後端部に嵌設されるラグ板のリング体及びリング体の一方側に延在するフック形状のツメを含む。
【０００５】
更に、複数のラグ板を有する場合、隣接するラグ板の間には隙間が残されている。
【０００６】
更に、上記オーディオ端子には複数の位置決め用軸肩が設けられ、該複数の位置決め用軸肩は、オーディオ端子の後端部から先端部方向へ軸肩の高さが徐々に大きくなり、該複数のラグ板のリング体は、オーディオ端子の後端部から先端部方向へ中央部貫通孔が徐々に大きくなり、位置決め用軸肩を介して嵌合し固定される。
【０００７】
更に、上記複数のラグ板は平行に設置され、且つ角度が同じである。
【０００８】
更に、上記樹脂ボディは、オーディオ端子の後端部とラグ板のリング体との接続部を被覆する柱形状ボディを含み、該柱形状ボディの一方側のフック形状のツメが外向きに張り出し、柱形状ボディの他方側には取付け穴付きの平板部が延在し、該オーディオ端子の末端は柱形状ボディの外に張り出させる。
【０００９】
本考案の第２実施例を説明する。オーディオプラグとマザーボードの接続構造であって、請求項５に記載のオーディオプラグ及びオーディオプラグと接続されるマザーボードを含み、該マザーボードにはフック形状のツメを挿入するための差込み口が設けられ、該オーディオプラグのフック形状のツメが差込み口内に挿入される。
【００１０】
更に、上記マザーボードにはオーディオ端子の末端に嵌合される溝を設ける。
【考案の効果】
【００１１】
従来技術に比べ、本考案では以下の好適な効果が期待できる。本考案のオーディオプラグは、オーディオ端子を介してフック形状のツメと嵌合され、更にプラスチック層（ＰＣ＋ＡＢＳ、ＡＢＳ、ＰＶＣなどの硬質プラスチック）を利用してオーディオプラグとオーディオ端子の接続部分を一体に被覆する。接続されるマザーボードにはツメを挿入できる差込み口が設置され、ツメはマザーボードに迅速にはんだ付けすることができ、こうしてオーディオプラグの堅牢性を保証でき、また一方でオーディオ構造が差込み口だけを介して嵌合するため、オーディオプラグの挿抜時の揺動により生じる力によるマザーボードの破損は起きにくくなる。
【図面の簡単な説明】
【００１２】
【図１】本考案のオーディオ端子とラグ板との嵌合構造模式図
【図２】オーディオ端子とラグ板との嵌合構造の平面視模式図
【図３】本考案のラグ板の構造を示す説明図
【図４】本考案のオーディオプラグの構造模式図
【図５】本考案のオーディオプラグとマザーボードとの接続構造模式図
【考案を実施するための形態】
【００１３】
以下、図面と実施例を合わせて本考案を詳細に説明する。
【００１４】
図１〜２に示すように、本実施例のオーディオプラグは、オーディオ端子１０を含み、オーディオ端子１０は通常、先端は該オーディオ端子１０に複数の位置決め用軸肩（１１０、１２０、１３０）が設けられ、該複数の位置決め用軸肩（１１０、１２０、１３０）はオーディオ端子の後端部から先端部方向へ軸肩の高さが徐々に大きくなり、後端部には軸方向に沿って３つのラグ板（２１０、２２０、２３０）が嵌設され、ラグ板（２１０、２２０、２３０）は該オーディオ端子の後端部に嵌設されるラグ板のリング体３０及びリング体の一方側に延在するフック形状のツメ４０を含み、複数のラグ板（２１０、２２０、２３０）のリング体３０はオーディオ端子の後端部から先端部方向へ中央部貫通孔が徐々に大きくなり、対応する位置決め用軸肩（１１０、１２０、１３０）を介して固定されることよって、隣接するラグ板の間には隙間が残されている。該オーディオ端子の後端部とラグ板は樹脂ボディ５０内に被覆される。
【００１５】
樹脂ボディ５０はオーディオ端子の後端部とラグ板のリング体との接続部を被覆する柱形状ボディ５１０を含み、本実施例における３つのラグ板（２１０、２２０、２３０）は平行に設置され、且つ角度が同じであり、柱形状ボディ５１０の一方側のフック形状のツメ４０は上向きに張り出し、柱形状ボディ５１０の他方側には取付け穴５２１付きの平板部５２０が延在する。
【００１６】
図３に示すように、取り付け時、マザーボード６０にはフック形状のツメを挿入するのに用いる差込み口が設けられ、オーディオプラグのフック形状のツメ４０は差込み口６１０内に挿入され、ツメ４０はマザーボードに迅速にはんだ付けすることができ、マザーボードにはオーディオ端子の末端に嵌合される溝６２０が更に設置される。
【００１７】
上記内容は本考案の好適な実施例に過ぎず、本考案の請求の範囲に基づいてなされた変更と修正は、いずれも本考案の請求の範囲に含まれる。
【図１】
0003211959.tif 000003
【図２】
0003211959.tif 000004
【図３】
0003211959.tif 000005
【図４】
0003211959.tif 000006
【図５】
0003211959.tif 000007